(57)【要約】【課題】シールピールの外れや浮き上がりを確実に防止するようにした多芯筆記具を提供する。【解決手段】本発明では、多芯筆記具を前提にして、シールピール２０の外れや浮き上がりを確実に防止するために、軸筒３の先端孔３ｃの先端側を、皿ザグリ状に拡径している。さらに、このように構成すると、軸筒３を射出成形する際、軸筒３の先端孔３ｃを形成する壁面の前端角部２３ｂから前方に向かってバリが発生しにくくなる。このようなバリが多く発生すると、軸筒３の外観を悪くすることは言うに及ばず、リフィール２を出没させる際にシールピール２０がバリに引っ掛かる虞があり、このことは、シールピール２０の外れや浮き上がりを発生させる要因にもなる。さらに、バリの発生を抑制する効果として、軸筒３の射出成形時に、軸筒３の全長寸法を許容誤差内に収め易くなる。【選択図】図２
2008302674.tif 000002
【特許請求の範囲】
【請求項１】
軸筒の先端孔から選択的に出没する複数のリフィールと、それぞれの前記リフィールに連結されて前記軸筒の軸線方向にスライド自在な複数のノック部と、前記各ノック部を復帰させるバネとを有する多芯筆記具において、
前記各リフィールの先端にはシールピールが設けられ、前記軸筒の前記先端孔の先端側は、皿ザグリ状に拡径していることを特徴とする多芯筆記具。
【請求項２】
前記先端孔は、先端側に設けられて略円柱状をなす第１の孔と、これに連続して第１の孔より径の小さな略円柱状をなす第２の孔とで段状に形成されていることを特徴とする請求項１記載の多芯筆記具。
【発明の詳細な説明】
【技術分野】
【０００１】
本発明は、シールピールが先端に固着されているリフィールを備えた多芯筆記具に関するものである。
【背景技術】
【０００２】
従来、このような分野の技術として、特開２００３−２４６１８３号公報がある。この公報に記載された多芯筆記具は、軸筒内に２本のリフィールが収容された回転タイプであり、リフィールの先端部分には、円錐部分をもったチップが設けられ、チップの先端にはボールが嵌め込まれている。さらに、店頭での販売状況や保管状況によって、ボールとチップの隙間からインクが蒸発したり漏れ出したりすることを防止するために、チップの先端にはホットメルト（シールピール）が固着されている。そして、店頭において、ユーザーが実際に筆記具の動作確認をすることが多く、このとき、ホットメルトの外れや浮き上がりを防止するために、軸筒の先端孔の前方角部に面取りが施されている。
【０００３】
【特許文献１】特開２００３−２４６１８３号公報
【発明の開示】
【発明が解決しようとする課題】
【０００４】
前述した従来の多芯筆記具では、軸筒の先端孔の前方角部に面取り部が形成され、この面取り部によってホットメルト（シールピール）の引っ掛かりを防止している。しかしながら、ホットメルトは、軸筒の先端孔からリフィールを出し入れする際に、面取り部の表面に押し付けられながら滑るように摺動するため、ホットメルトの形状によっては、面取り部でホットメルトに無理な負荷が加わってホットメルトが外れ易くなる虞がある。
【０００５】
本発明は、シールピールの外れや浮き上がりを確実に防止するようにした多芯筆記具を提供することを目的とする。
【課題を解決するための手段】
【０００６】
本発明に係る多芯筆記具は、軸筒の先端孔から選択的に出没する複数のリフィールと、それぞれのリフィールに連結されて軸筒の軸線方向にスライド自在な複数のノック部と、各ノック部を復帰させるバネとを有する多芯筆記具において、
各リフィールの先端にはシールピールが設けられ、軸筒の先端孔の先端側は、皿ザグリ状に拡径していることを特徴とする。
【０００７】
本発明は、インクの蒸発や逆流を防止するために、先端にシールピールが設けられたリフィールを選択的に出没させるタイプの多芯筆記具が前提になっている。さらに、本発明に係る多芯筆記具では、リフィールを軸筒の先端から出没させるときに、単芯の筆記具と異なり、リフィールは、軸筒の軸線に沿うことなく片側に寄った状態で移動することになるので、多芯筆記具特有の課題として、シールピールの外れや浮き上がりに着目してなされている。よって、本発明では、多芯筆記具を前提にして、シールピールの外れや浮き上がりを確実に防止するために、軸筒の先端孔の先端側を、皿ザグリ状に拡径している。さらに、このように構成すると、軸筒を射出成形する際、軸筒の先端孔を形成する壁面の前端角部から前方に向かってバリが発生しにくくなる。このようなバリが多く発生すると、軸筒の外観を悪くすることは言うに及ばず、リフィールを出没させる際にシールピールがバリに引っ掛かる虞があり、このことは、シールピールの外れや浮き上がりを発生させる要因にもなる。さらに、バリの発生を抑制する効果として、軸筒の射出成形時に、軸筒の全長寸法を許容誤差内に収め易くなる。
【０００８】
また、先端孔は、先端側に設けられて略円柱状をなす第１の孔と、これに連続して第１の孔より径の小さな略円柱状をなす第２の孔とで段状に形成されていると好適である。
このような構成は、簡単な構成であって、バリ発生の抑制効果が高い。
【発明の効果】
【０００９】
本発明によれば、シールピールの外れや浮き上がりを確実に防止することができる。
【発明を実施するための最良の形態】
【００１０】
以下、図面を参照しつつ本発明に係る多芯筆記具の好適な実施形態について詳細に説明する。なお、ペン先側を「前方側」として以下説明する。
【００１１】
図１に示すように、多芯筆記具１は、４色のボールペン型リフィールを有する多色筆記具である。このノック式多芯筆記具１は、水性インクが充填された４本のボールペン型のリフィール２と、各リフィール２を収容する樹脂製の軸筒３と、軸筒３の後端部に装着された樹脂製のキャップ４と、軸筒３の軸線Ｌ方向にスライド自在な開閉式クリップ６及びノック部９と、軸筒３に固定された滑り止め用のグリップ７とを備えている。
【００１２】
軸筒３の後部には４本のガイド溝８が形成され、４本のガイド溝８のうちの３本のガイド溝８ａに沿って、軸筒３の軸線Ｌ方向に３本のノック部９がスライドし、各ノック部９の先端は、リフィール２の後端に差し込まれている。開閉式クリップ６は、残りの１本のガイド溝８ｂに沿って軸線Ｌ方向に可動し、クリップ６にＵ字状の板バネ１０を介して連結されたスライダ部１１の先端は、リフィール２の後端に差し込まれ、スライダ部１１がガイド溝８ｂに沿って摺動する。
【００１３】
さらに、軸筒３内には、ノック部９及びクリップ６を復帰させるための螺旋バネ１２ａ，１２ｂが収容され、リフィール２は螺旋バネ１２ａ，１２ｂ内に差し込まれている。そして、ノック部９及びクリップ６に復帰力を発生させるために、螺旋バネ１２ａの一端は軸筒３側で係止され、螺旋バネ１２ａの他端はノック部９の先端に係止させられ、螺旋バネ１２ｂの一端は軸筒３側で係止され、螺旋バネ１２ｂの他端はスライダ部１１の先端に係止させられている。
【００１４】
このような構成の多芯筆記具１では、ノック部９及びクリップ６の何れかを押し下げることによって、軸筒３の先端からリフィール２の先端が突出し、残りのノック部９又はクリップ６を押し下げることで、リフィール２の先端を軸筒３内に格納することができる。
【００１５】
このような多芯筆記具１に利用される軸筒３は、前軸３ａと後軸３ｂとからなり、前軸３ａの後側に設けられた雄ネジ部と後軸３ｂの前側に設けられた雌ネジ部との螺合によって、前軸３ａと後軸３ｂは連結される。なお、前軸３ｂにグリップ７が固定されている。
【００１６】
軸筒３の先端孔３ｃから選択的に出没するリフィール２の先端には、ステンレスからなるチップ２ａが設けられ、チップ２ａの先端にはボールが嵌め込まれている。さらに、店頭での販売状況や保管状況によって、ボールとチップ２ａの隙間から水性インクが蒸発したり漏れ出したりすることを防止するために、チップ２ａの先端には、ボールを封入するための球状のシールピール２０が固着されている。シールピール２０の材質としては、例えば、ホットメルトが好適である。
【００１７】
店頭において、ユーザーが実際に筆記具の動作確認をすることが多く、このとき、シールピール２０の外れや浮き上がりを防止する必要がある。そこで、図２に示すように、軸筒３の先端孔３ｃの先端側は、皿ザグリ状に拡径している。そして、先端孔３ｃは、先端側に設けられて略円柱状をなす第１の孔２１と、これに連続して第１の孔２１より径の小さな略円柱状をなす第２の孔２２とで段状に形成され、第２の孔２２は、球状のシールピール２０の直径より大きな直径を有している。
【００１８】
図２に示すように、多芯筆記具１では、リフィール２が軸筒３の先端から出没するときに、単芯の筆記具と異なり、リフィール２は、軸筒３の軸線Ｌに沿うことなく片側に寄った状態で移動することになるので、シールピール２０は、軸筒３の前端側の内壁面３ｄ及び先端孔３ｃを形成する壁面３ｅに沿って摺動する。そして、図２の一点鎖線で示すように、シールピール２０が、第１の孔２１と第２の孔２２との境界角部２３ａと、第１の孔２１の前端角部２３ｂとに接触しても、シールピール２０に無理な負荷が加わりにくく、シールピール２０が外れ難い。このような先端孔３ｃは、球形に限らず様々な形状のシールピール２０に効果的である。これに対し、図４の一点鎖線で示すように、従来の先端孔１００の先端角部１００ａにシールピール２０が押し当てられると、シールピール２０は外れ易くなる。
【００１９】
特に、この多芯筆記具１では、螺旋バネ１２ａ，１２ｂのバネ力によって、シールピール２０は、高速で先端孔３ｃ内に引き戻されるため、シールピール２０に加わる負荷に関して、図４に示された従来の先端孔１００に比べて図２に示された先端孔３ｃの方が有利である。
【００２０】
さらに、構成が簡単な第１及び第２の孔２１，２２を採用することで、軸筒３を射出成形する際、軸筒３の先端孔３ｃを形成する壁面３ｅの前端角部２３ｂから前方に向かってバリが発生しにくくなる。このようなバリが多く発生すると、軸筒３の外観を悪くすることは言うに及ばず、リフィール２を出没させる際にシールピール２０がバリに引っ掛かる虞があり、このことは、シールピール２０の外れや浮き上がりを発生させる要因にもなる。さらに、バリの発生を抑制する効果として、軸筒３の射出成形時に、軸筒３の全長寸法を許容誤差内に収め易くなる。
【００２１】
さらに、シールピール２０は、ボールペン利用開始時にあって利用者により取り外される。従って、図３に示すように、チップ２ａの先端からインクが滲み出してできたインク玉Ｐは、軸筒３の先端面３ｆに付着し難く、利用者の手や衣服にインクが付着しにくくなる。
【００２２】
本発明は、前述した実施形態に限定されないことは言うまでもない。例えば、多芯筆記具１は、シャープペンシル型のリフィールを備えていてもよい。
【図面の簡単な説明】
【００２３】
【図１】本発明に係る多芯筆記具の一実施形態を示す断面図である。
【図２】シールピールと先端孔との関係を示す要部拡大断面図である。
【図３】チップと先端孔との関係を示す要部拡大断面図である。
【図４】従来技術を示す断面図である。
【符号の説明】
【００２４】
１…多芯筆記具、２…リフィール、３…軸筒、３ｃ…先端孔、９…ノック部、１２ａ…バネ、２０…シールピール、２１…第１の孔、２２…第２の孔、Ｌ…軸線。
【図１】
2008302674.tif 000003
【図２】
2008302674.tif 000004
【図３】
2008302674.tif 000005
【図４】
2008302674.tif 000006